(57)【要約】 【課題】カートリッジフィルタをキャビネット内の仕切り板に短時間にして容易に取り付けることができる方法を提供する。【解決手段】カートリッジフィルタをキャビネット内に取り付ける方法であって、２〜３本のカートリッジフィルタを掛止したカートリッジフィルタ着脱機構を、キャビネットの側壁に形成されたカートリッジフィルタの入出用開口からキャビネット内に搬入する工程と、キャビネット内をクリーンサイドとダーティサイドとに上下に仕切る仕切り板の下方に配設されたガイドレールを介して、カートリッジフィルタ着脱機構を仕切る仕切り板に沿い所定位置まで移動させる工程と、カートリッジフィルタ着脱機構を押し上げて仕切り板の下面に当接し固定する工程と、を含むことを特徴とする。【選択図】     図３
2009045571.tif 000002
【特許請求の範囲】
【請求項１】
複数のカートリッジフィルタを一直線状または碁盤の目状に並べてキャビネット内に垂設するようにした集塵機において、前記カートリッジフィルタを前記キャビネット内に取り付ける方法であって、
２〜３本の前記カートリッジフィルタを掛止したカートリッジフィルタ着脱機構を、前記キャビネットの側壁に形成されたカートリッジフィルタの入出用開口から前記キャビネット内に搬入する工程と、
前記キャビネット内をクリーンサイドとダーティサイドとに上下に仕切る仕切り板の下方に配設されたガイドレールを介して、前記カートリッジフィルタ着脱機構を前記仕切る仕切り板に沿い所定位置まで移動させる工程と、
前記カートリッジフィルタ着脱機構を押し上げて前記仕切り板の下面に当接し固定する工程と、
を含むことを特徴とするカートリッジフィルタ式集塵機におけるカートリッジフィルタの取付け方法。
【請求項２】
請求項１に記載のカートリッジフィルタ式集塵機におけるカートリッジフィルタの取付け方法において、
２〜３本の前記カートリッジフィルタを縦方向または横方向へ一直線状に並べてカートリッジフィルタ着脱機構に掛止したカートリッジフィルタ着脱機構をキャビネット内に搬入することを特徴とするカートリッジフィルタ式集塵機におけるカートリッジフィルタの取付け方法。
【請求項３】
複数のカートリッジフィルタを一直線状または碁盤の目状に並べてキャビネット内に垂設した集塵機であって、
前記キャビネット内に水平方向へ延びて装着されキャビネット内をクリーンサイドとダーティサイドとに仕切りかつ一直線状または碁盤の目状に並ぶ複数の前記カートリッジフィルタがそれぞれ貫通可能な複数の開口を有する仕切り板と、
前記仕切り板の下面に一直線状に並ぶ複数の前記開口を挟むようにして装着され、一直線状に並ぶ複数の前記開口に沿って延びかつ先端部が上向きに傾斜して前記仕切り板の下面に到達する摺動面を有する一対または複数対のレールと、
これら対を成すレール間に着脱かつ装架可能に構成され２〜３本の前記カートリッジフィルタを貫通させるとともに上端部にて掛止する２〜３個の開口を有する板部材を備えたカートリッジフィルタ着脱機構と、
前記キャビネットの側壁における前記レールの指向方向に対向する位置に形成されて２〜３個の前記カートリッジフィルタを掛止した前記カートリッジフィルタ着脱機構を入出するための入出用開口と、
を具備し、
２〜３本の前記カートリッジフィルタを掛止した前記カートリッジフィルタ着脱機構は、縦向きまたは横向きにして前記入出用開口から前記キャビネット内に搬入され、続いて、カートリッジフィルタ着脱機構の先端を前記一対のレールの基端部間に装架されたのち、一対のレール上を摺動されて所定位置まで移動させ、その後、前記仕切り板の下面に固定されることを特徴とするカートリッジフィルタ式集塵機。
【請求項４】
前記カートリッジフィルタ着脱機構は、
長方形の板状を成し、両端部分が９０度上方に折れ曲がり、かつカートリッジフィルタが貫通可能な２〜３本の円形の開口を一直線状に並べて有する本体と、
この本体の下面に固着されかつ前記一対のレール上を摺動される方向へ指向する部分の両端部が円弧状を成した枠体状の補強部材と、
を含むことを特徴とする請求項２に記載のカートリッジフィルタ式集塵機。
【発明の詳細な説明】
【技術分野】
【０００１】
本発明は、キャビネット内にカートリッジフィルタを垂設するようにした集塵機において、前記カートリッジフィルタを前記キャビネット内に取り付ける方法およびその装置に関する。
【背景技術】
【０００２】
一般に、キャビネット内にカートリッジフィルタを垂設するようにしたカートリッジフィルタ式集塵機においては、このカートリッジフィルタは、前記キャビネット内に水平方向へ延びて装着されてキャビネット内をクリーンサイドとダーティサイドとに上下に仕切る仕切り板にこれを貫通して垂設されている。
そして、このカートリッジフィルタは、バグフィルタとは異なり柔軟性が無いため、前記仕切り板にＵ字状の開口を複数形成して、各開口の開放部から開口内に挿入されるとともに上部で掛止されたのち、Ｕ字状の開口を有する板部材で仕切り板の残りの開口部を閉鎖する方法によって仕切り板に取り付けられていた。
なお、上記の技術は現場的・慣用的なものなので、これらを記載した文献を発見することができなかった。
【発明の開示】
【発明が解決しようとする課題】
【０００３】
このため、カートリッジフィルタの取付けや交換に手間隙が非常に掛かる問題があり、カートリッジフィルタをキャビネット内の仕切り板に容易に取り付けることができる方法およびその装置の開発がこの種の業界から要請されていた。
本発明は上記の事情に鑑みてなされたもので、その目的は、カートリッジフィルタをキャビネット内の仕切り板に短時間にして容易に取り付けることができる方法およびその装置を提供することにある。
【課題を解決するための手段】
【０００４】
上記の目的を達成するため本発明のカートリッジフィルタ式集塵機におけるカートリッジフィルタの取付け方法は、複数のカートリッジフィルタを一直線状または碁盤の目状に並べてキャビネット内に垂設するようにした集塵機において、前記カートリッジフィルタを前記キャビネット内に取り付ける方法であって、２〜３本の前記カートリッジフィルタを掛止したカートリッジフィルタ着脱機構を、前記キャビネットの側壁に形成されたカートリッジフィルタの入出用開口から前記キャビネット内に搬入する工程と、前記キャビネット内をクリーンサイドとダーティサイドとに上下に仕切る仕切り板の下方に配設されたガイドレールを介して、前記カートリッジフィルタ着脱機構を前記仕切る仕切り板に沿い所定位置まで移動させる工程と、前記カートリッジフィルタ着脱機構を押し上げて前記仕切り板の下面に当接し固定する工程と、を含むことを特徴とする。    
【発明の効果】
【０００５】
上記の説明から明らかなように本発明は、複数のカートリッジフィルタを一直線状または碁盤の目状に並べてキャビネット内に垂設するようにした集塵機において、前記カートリッジフィルタを前記キャビネット内に取り付ける方法であって、２〜３本の前記カートリッジフィルタを掛止したカートリッジフィルタ着脱機構を、前記キャビネットの側壁に形成されたカートリッジフィルタの入出用開口から前記キャビネット内に搬入する工程と、前記キャビネット内をクリーンサイドとダーティサイドとに上下に仕切る仕切り板の下方に配設されたガイドレールを介して、前記カートリッジフィルタ着脱機構を前記仕切る仕切り板に沿い所定位置まで移動させる工程と、前記カートリッジフィルタ着脱機構を押し上げて前記仕切り板の下面に当接し固定する工程と、を含むから、カートリッジフィルタをキャビネット内の仕切り板に短時間にして容易かつ確実に取り付けることができるなどの優れた実用的効果を奏する。
【発明の実施の形態】
【０００６】
以下、本発明を適用したカートリッジフィルタ式集塵機について図１乃至図３に基づき詳細に説明する。カートリッジフィルタＦをキャビネット内に取り付ける途中の状態を示す図１に示すように、本カートリッジフィルタ式集塵機は、前記キャビネット１内に水平方向へ延びて装着されキャビネット１内をクリーンサイドとダーティサイドとに仕切りかつ２本の前記カートリッジフィルタＦが貫通可能な２個の開口２を有する仕切り板３と、前記キャビネット１の内面における前記仕切り板３の下方位置に前記開口２を前後から挟むようにして装着され、前記仕切り板３に沿って延びかつ先端部（左端部）が上向きに傾斜して前記仕切り板３の下面に到達する摺動面を有する一対のレール４と、これら一対のレール４間に着脱かつ装架可能に構成され前記カートリッジフィルタＦを貫通させるとともに上端部にて掛止するカートリッジフィルタ着脱機構５と、前記キャビネット１の側壁における前記一対のレール４の基端側に形成されて前記カートリッジフィルタＦを掛止した前記カートリッジフィルタ着脱機構を入出するための入出用開口６と、で構成してある。
【０００７】
そして、前記カートリッジフィルタ着脱機構５は、正面図の図２−Ａおよび平面図の図２−Ｂに示すように、長方形の板状を成し、左右両端部分が９０度上方に折れ曲がり、かつ２本の前記カートリッジフィルタＦがそれぞれ貫通可能な２個の円形の開口７を有する本体８と、下面図の図２−Ｃに示すように、この本体８の下面に固着された枠体状の補強部材９と、Ａ−Ａ矢視図の図２−Ｄに示すように、補強部材９の前後両側の左右両端部は円弧状を成していて前記一対のレール４上を円滑に摺動可能なようになっている。また、前記本体８の右端部には支持ピンの挿入孔１０が、また左端部には支持ボルト係合用の切欠き１１がそれぞれ設けてある。
【０００８】
また、前記仕切り板３の左端には前記カートリッジフィルタ着脱機構５の挿入孔１０に挿入する支持ピン１２が、また前記仕切り板３の右端には前記切欠き１１に係合可能なボルト１３がそれぞれ垂設してある。
【０００９】
このように構成したものは、図３−Ａに示すように、２本のカートリッジフィルタＦを本体８に掛止したカートリッジフィルタ着脱機構５を縦向きにして入出用開口６からキャビネット１内に搬入するとともに、カートリッジフィルタ着脱機構５の補強部材９を２本のレール４上に装架したのち、手作業によってカートリッジフィルタ着脱機構５を２本のレール４上を左方へ摺動させ、続いて、図３−Ｂに示すように、カートリッジフィルタ着脱機構５を２本のレール４上をさらに左方へ摺動させてカートリッジフィルタ着脱機構５の左端部を押し上げ、本体８の挿入孔１０に支持ピン１２を挿入してカートリッジフィルタ着脱機構５を位置決めする。次いで、図３−Ｃに示すように、カートリッジフィルタ着脱機構５の右端部を持ち上げてカートリッジフィルタＦの上端部を仕切り板３の開口２に貫通させるとともに本体８の切欠き１１にボルト１３を係合させ、続いて、ボルト１３にナット１４を螺合してカートリッジフィルタ着脱機構５を仕切り板３の下面に締め付け、カートリッジフィルタＦの仕切り板３への取付けを完了する。
【００１０】
なお、上記の実施例のカートリッジフィルタ着脱機構５は、２本のカートリッジフィルタＦを掛止するようにしてあるが、３本のカートリッジフィルタＦを掛止可能なように構成してもよい。
またなお、上記の実施例では、前記レール４は一対しか設けてないが、複数のカートリッジフィルタ着脱機構５を装架可能なように、複数対設けてもよい。
またなお、上記の実施例では、２本のカートリッジフィルタＦを縦方向へ並べた縦向きにしてカートリッジフィルタ着脱機構５を入出用開口６からキャビネット１内に搬入するようにしているが、２〜３本のカートリッジフィルタＦを横方向へ並べた横向きにしてカートリッジフィルタ着脱機構を入出用開口からキャビネット１内に搬入するように構成してもよい。
またなお、上記の実施例では、カートリッジフィルタ着脱機構５は１個設けてあるが、必要に応じて複数個も受けてもよい。
【図面の簡単な説明】
【００１１】
【図１】本発明を適用したカートリッジフィルタ式集塵機の一実施例の主要部の縦断面図である。
【図２】図１における所要部（カートリッジフィルタ着脱機構５）の模式図である。
【図３】本発明を適用したカートリッジフィルタ式集塵機の一実施例の作動説明図である。
【符号の説明】
【００１２】
１    キャビネット
３    仕切り板
４    レール
５    カートリッジフィルタ着脱機構
６    入出用開口
【図１】
2009045571.tif 000003
【図２】
2009045571.tif 000004
【図３】
2009045571.tif 000005